(57)【要約】【課題】電子機器への電力供給を抑制する際の利便性を向上させるとともに、適切なタイミングで電子機器の省エネルギー化を図ることができる外部装置及び電子機器システムを提供する。【解決手段】作動状態と消費電力の小さい待機状態とが動作態様として切り替え可能な電子機器に、電力を出力して供給する電子機器の外部装置５は、電源に接続されて電力が入力される電源入力部５１と、電源入力部５１に入力された電力を電子機器に出力する電源出力部５２と、電源出力部５２から電子機器に出力される電力を制限する出力電力制限部５７と、出力電力制限部５７を制御する制御部５３と、電子機器の動作態様を制御するための制御信号を制御部５３に入力する制御信号入力部６０とを備えている。そして、制御部５３は、制御信号として電子機器の作動状態を禁止する旨の信号が入力されたときに、電子機器に出力される電力を制限するように出力電力制限部５７を制御する。【選択図】図４
2011130643.tif 000002
【特許請求の範囲】
【請求項１】
作動状態と該作動状態に比べて消費電力の小さい待機状態とが動作態様として切り替え可能な電子機器に、電力を出力して供給する電子機器の外部装置であって、
電源に接続されて電力が入力される電源入力部と、
前記電源入力部に入力された電力を前記電子機器に出力する電源出力部と、
前記電源出力部から前記電子機器に出力される電力を制限する出力電力制限部と、
前記出力電力制限部を制御する制御部と、
前記電子機器の動作態様を制御するための制御信号を前記制御部に入力する制御信号入力部とを備え、
前記制御部は、制御信号として前記作動状態を禁止する旨の信号が入力されたときに、前記電子機器に出力される電力を制限するように前記出力電力制限部を制御する
ことを特徴とする外部装置。
【請求項２】
前記作動状態を禁止する旨の信号は、前記電子機器の動作態様を前記作動状態から切り替える旨の信号であることを特徴とする請求項１に記載の外部装置。
【請求項３】
前記作動状態を禁止する旨の信号は、前記電子機器の動作態様を前記作動状態から前記待機状態に切り替える旨の信号であることを特徴とする請求項２に記載の外部装置。
【請求項４】
前記出力電力制限部は、前記電源出力部から前記電子機器に電力を出力するか否かを切り替えるスイッチ部であることを特徴とする請求項１〜３のいずれか一項に記載の外部装置。
【請求項５】
前記制御部は、制御信号として前記作動状態を禁止する旨の信号が入力されたときに、前記電子機器に電力を出力しないようにスイッチ部を制御する
ことを特徴とする請求項４に記載の外部装置。
【請求項６】
前記電子機器から出力された信号が入力される信号入力部を備え、
前記制御部は、前記信号入力部に入力された前記電子機器からの信号に基づいて、前記電子機器の動作態様を監視するとともに、その監視結果に基づいて前記出力電力制限部を制御する
ことを特徴とする請求項１〜５のいずれか一項に記載の外部装置。
【請求項７】
前記電子機器の動作態様を制御するための制御信号を前記電子機器に出力する制御信号出力部をさらに備えることを特徴とする請求項１〜６のいずれか一項に記載の外部装置。
【請求項８】
前記制御信号出力部は、制御信号として前記作動状態を禁止する旨の信号が前記制御部に入力されたときに、前記電子機器の動作態様を前記待機状態に切り替える旨の信号を制御信号として前記電子機器に出力し、
前記制御部は、前記電子機器の動作態様が前記待機状態に切り替えられた後に、前記電子機器に出力される電力を制限するように前記出力電力制限部を制御する
ことを特徴とする請求項７に記載の外部装置。
【請求項９】
前記制御部は、制御信号として前記電子機器の動作態様を前記作動状態に切り替える旨の信号が入力されたときに、前記電子機器に出力される電力の制限を禁止するように前記出力電力制限部を制御し、
前記制御信号出力部は、前記電子機器に出力される電力の制限が禁止されることによって前記電子機器の動作態様が前記待機状態に切り替えられた後に、前記電子機器の動作態様を前記作動状態に切り替える旨の信号を制御信号として前記電子機器に出力する
ことを特徴とする請求項７または８に記載の外部装置。
【請求項１０】
前記制御信号出力部は、前記電子機器から出力された信号が入力される信号入力部を兼ねることを特徴とする請求項７〜９のいずれか一項に記載の外部装置。
【請求項１１】
前記制御信号出力部を複数備えていることを特徴とする請求項７〜１０のいずれか一項に記載の外部装置。
【請求項１２】
前記制御信号入力部として、外部からの制御信号を受信する制御信号受信部を備えるとともに、
前記制御信号受信部で受信した制御信号を、受信した形式とは異なる形式に変換するための信号変換テーブルが記憶された記憶部をさらに備える
ことを特徴とする請求項７〜１１のいずれか一項に記載の外部装置。
【請求項１３】
前記制御信号入力部を複数備えていることを特徴とする請求項１〜１２のいずれか一項に記載の外部装置。
【請求項１４】
前記制御部による前記出力電力制限部の制御を設定するための操作部を備え、
前記制御部は、前記操作部を用いて設定された設定内容に基づいて前記出力電力制限部を制御する
ことを特徴とする請求項１〜１３のいずれか一項に記載の外部装置。
【請求項１５】
作動状態と該作動状態に比べて消費電力の小さい待機状態とが動作態様として切り替え可能な電子機器と、
前記電子機器に電力を出力して供給するとともに、前記電子機器の動作態様を制御する外部装置と、
前記外部装置から前記電子機器に出力される電力の供給元である電源とを備え、
前記外部装置が、前記電子機器に供給される電力を制限することによって、前記電子機器の動作態様が、前記待機状態に代えて、前記電子機器に供給される電力が制限された状態に切り替えられる
ことを特徴とする電子機器システム。
【請求項１６】
前記外部装置が、前記電子機器に供給される電力を遮断することによって、前記電子機器の動作態様が、前記待機状態に代えて、前記電子機器に電力が供給されない状態に切り替えられることを特徴とする請求項１５に記載の電子機器システム。
【発明の詳細な説明】
【技術分野】
【０００１】
本願発明は、電子機器の外部装置、及びこれを備えた電子機器システムに関するものである。
【背景技術】
【０００２】
一般に、作動状態と作動状態に比べて消費電力の小さい待機状態とが動作態様として切り替え可能な電子機器が知られている。このような電子機器としては、例えば、光源を点灯させることにより映像を表示させる作動状態となるプロジェクタが知られており、プロジェクタは、光源が消灯されることにより、電力が供給される状態でありながら作動状態に比べて消費電力の小さい待機状態となる。
【０００３】
また、動作態様が切り替え可能な電子機器において、消費電力を低減する機能を内蔵した機器が知られている（例えば、特許文献１参照）。具体的には、特許文献１には、動作態様（即ち、使用状態）に応じて供給電力を制御することにより消費電力を低減できるようにした電源システムを備える電子機器が開示されている。
【０００４】
また、ファックスや電話機等の通信機器に接続されて、通信機器への電源供給を制御する待機電力低減装置が開示されている（例えば、特許文献２参照）。具体的には、特許文献２には、外部からの呼出信号を検出したことに応じて通信機器への電源供給を開始し、呼出信号を検出した時刻から予め設定された所定時間が経過した後に、通信機器への電源供給を終了する待機電力低減装置が開示されている。
【先行技術文献】
【特許文献】
【０００５】
【特許文献１】特開２００６−３３９８１３号公報
【特許文献２】特開２００２−３６８９０３号公報
【発明の概要】
【発明が解決しようとする課題】
【０００６】
しかしながら、特許文献１に記載される手段により消費電力を低減する場合には、電子機器が、その内部に設けられた各部へ供給される電圧を切り替える電源回路を備える必要がある。このため、このような電源回路を備えない電子機器には、一定の電力が供給され続けることになり、電子機器の省エネルギー化を図ることができない。
【０００７】
また、特許文献２に記載される待機電力低減装置は、電子機器に供給される電力を制限する外部装置であるが、呼出信号を検出した時刻から所定時間が経過すると、電子機器への電源供給が終了される。即ち、電子機器が作動状態となってから所定時間後に電力供給が抑制されるため、作動状態を禁止するユーザーの意図の有無に拘わらず、作動状態の電子機器への電力供給が唐突に抑制される。このため、適切なタイミングで電子機器の省エネルギー化を図ることができない。
【０００８】
また、一般に、電子機器に電力が供給されないようにするためには、電源と電子機器との物理的な接続を切断することが考えられる。より具体的には、例えば、電源と電子機器とを接続する電源ケーブルを電源または電子機器から引き抜くことが考えられる。しかし、このようにして電源と電子機器との物理的な接続を切断する場合には、電源と電子機器とを接続するためのケーブルを抜き差しする手間がかかり、電子機器への電力供給を抑制する際の手段としては利便性が低いという問題がある。
【０００９】
本発明は、こうした実情に鑑みてなされたものであり、その目的は、電子機器への電力供給を抑制する際の利便性を向上させるとともに、適切なタイミングで電子機器の省エネルギー化を図ることができる外部装置及び電子機器システムを提供することにある。
【課題を解決するための手段】
【００１０】
以下、上記目的を達成するための手段及びその作用効果について記載する。
請求項１に記載の発明は、作動状態と該作動状態に比べて消費電力の小さい待機状態とが動作態様として切り替え可能な電子機器に、電力を出力して供給する電子機器の外部装置であって、電源に接続されて電力が入力される電源入力部と、電源入力部に入力された電力を電子機器に出力する電源出力部と、電源出力部から電子機器に出力される電力を制限する出力電力制限部と、出力電力制限部を制御する制御部と、電子機器の動作態様を制御するための制御信号を制御部に入力する制御信号入力部とを備え、制御部は、制御信号として作動状態を禁止する旨の信号が入力されたときに、電子機器に出力される電力を制限するように出力電力制限部を制御することを特徴とする。
【００１１】
上記構成によれば、電子機器の動作態様を制御するための制御信号として、作動状態を禁止する旨の信号が制御部に入力されたときに、電源出力部から電子機器に出力される電力を制限するように、出力電力制限部が制御される。即ち、本発明に係る外部装置を介して電源と電子機器とが接続された場合には、外部装置が上記構成を備えているため、例えば、電子機器の動作態様を作動状態から待機状態に切り替える旨の制御信号が制御部に入力された場合に、電子機器への電力供給が抑制される。従って、外部装置を介さずに電源と電子機器とが物理的に直接接続されて消費電力の小さい待機状態となっても一定の電力が電子機器に供給され続ける場合に比べて、電子機器への電力供給を抑制して、電子機器の省エネルギー化を図ることができる。また、作動状態を禁止する旨の信号が入力されたときに、電子機器に出力される電力が制限される。即ち、電子機器への電力供給の抑制が、作動状態を禁止する意図を示す制御信号の入力を待って行われる。従って、作動状態の電子機器への電力供給が唐突に抑制されないようにして、例えば電子機器が作動状態となってから所定時間後に電力供給が抑制される場合に比べて、適切なタイミングで電子機器の省エネルギー化を図ることができる。さらに、電子機器への電力供給を抑制することを目的として、例えばケーブルを介した電源と外部装置と電子機器との物理的な接続を切断する必要がなくなる。即ち、例えば、電源と電子機器とを接続するためのケーブルを抜き差しする手間を省くことができる。よって、上記構成によれば、電子機器への電力供給を抑制する際の利便性を向上させるとともに、適切なタイミングで電子機器の省エネルギー化を図ることができる。
【００１２】
請求項２に記載の発明は、請求項１に記載の外部装置であって、作動状態を禁止する旨の信号は、電子機器の動作態様を作動状態から切り替える旨の信号であることを特徴とする。
【００１３】
上記構成によれば、作動状態を禁止する旨の信号は、電子機器の動作態様を作動状態から切り替える旨の信号である。このため、例えば、従来においては電子機器に入力していた作動状態から切り替える旨の信号が、本発明に係る外部装置が備える制御部に入力されることにより、電子機器への電力供給が抑制される。即ち、従来において電子機器に入力されていた信号を用いて、本発明に係る外部装置が電子機器への電力供給を制御できる。
【００１４】
請求項３に記載の発明は、請求項２に記載の外部装置であって、作動状態を禁止する旨の信号は、電子機器の動作態様を作動状態から待機状態に切り替える旨の信号であることを特徴とする。
【００１５】
上記構成によれば、作動状態を禁止する旨の信号は、電子機器の動作態様を作動状態から待機状態に切り替える旨の信号である。このため、作動状態から待機状態に切り替える旨の信号が、本発明に係る外部装置が備える制御部に入力されることにより、電子機器への電力供給が抑制される。従って、電子機器の動作態様を、消費電力の小さい待機状態に代えて、電子機器に供給される電力が制限された状態に切り替えることが可能となる。
【００１６】
請求項４に記載の発明は、請求項１〜３のいずれか一項に記載の外部装置であって、出力電力制限部は、電源出力部から電子機器に電力を出力するか否かを切り替えるスイッチ部であることを特徴とする。
【００１７】
上記構成によれば、出力電力制限部は、電源出力部から電子機器に電力を出力するか否かを切り替えるスイッチ部であるため、電源出力部から電子機器に電力を出力しないようにスイッチ部が制御されることによって、外部装置から電子機器への電力供給が遮断される。従って、電子機器の省エネルギー化を確実に図ることができる。
【００１８】
請求項５に記載の発明は、請求項４に記載の外部装置であって、制御部は、制御信号として作動状態を禁止する旨の信号が入力されたときに、電子機器に電力を出力しないようにスイッチ部を制御することを特徴とする。
【００１９】
上記構成によれば、電子機器の動作態様を制御するための制御信号として、電子機器の作動状態を禁止する旨の制御信号が制御部に入力された場合に、電源出力部から電子機器に電力を出力しないように、出力電力制限部であるスイッチ部が制御部によって制御される。このため、例えば、電子機器の動作態様を作動状態から待機状態に切り替える旨の制御信号が制御部に入力された場合に、外部装置から電子機器への電力供給が遮断されて、電子機器の省エネルギー化を確実に図ることができる。
【００２０】
請求項６に記載の発明は、請求項１〜５のいずれか一項に記載の外部装置であって、電子機器から出力された信号が入力される信号入力部を備え、制御部は、信号入力部に入力された電子機器からの信号に基づいて、電子機器の動作態様を監視するとともに、その監視結果に基づいて出力電力制限部を制御することを特徴とする。
【００２１】
上記構成によれば、電子機器から出力されて信号入力部に入力された電子機器からの信号に基づいて、電子機器の動作態様が監視され、その監視結果に基づいて出力電力制限部が制御される。このため、例えば、電子機器の動作態様が待機状態に切り替えられたか否か等を監視することが可能となる。従って、電子機器に出力される電力を制限する出力電力制限部を、適切なタイミングで確実に制御することができる。
【００２２】
請求項７に記載の発明は、請求項１〜６のいずれか一項に記載の外部装置であって、電子機器の動作態様を制御するための制御信号を電子機器に出力する制御信号出力部をさらに備えることを特徴とする。
【００２３】
上記構成によれば、外部装置は、電子機器の動作態様を制御するための制御信号を電子機器に出力する制御信号出力部を備えている。このため、電子機器は、外部装置の制御信号出力部から出力された制御信号に基づいて、例えば、作動状態から待機状態に切り替わったり、待機状態から作動状態に切り替わったりすることが可能となる。
【００２４】
請求項８に記載の発明は、請求項７に記載の外部装置であって、制御信号出力部は、制御信号として作動状態を禁止する旨の信号が制御部に入力されたときに、電子機器の動作態様を待機状態に切り替える旨の信号を制御信号として前記電子機器に出力し、制御部は、電子機器の動作態様が待機状態に切り替えられた後に、電子機器に出力される電力を制限するように出力電力制限部を制御することを特徴とする。
【００２５】
上記構成によれば、制御信号として作動状態を禁止する旨の信号が制御部に入力されたときに、電子機器の動作態様を待機状態に切り替える旨の制御信号が、外部装置の制御信号出力部から電子機器に出力される。このため、外部装置の制御信号出力部から出力された制御信号に基づいて、電子機器の動作態様が作動状態から待機状態に切り替わる。そして、電子機器の動作態様が待機状態に切り替えられた後に、電子機器に出力される電力を制限するように出力電力制限部が制御される。このため、例えば、作動状態から待機状態に移行する際に電子機器の一部を冷却するための所定期間が設けられる場合には、この所定期間が経過後に、電子機器への電力供給が抑制される。従って、作動状態から待機状態へ移行する際に設けられることが好ましい所定の期間（例えば、電子機器の部品の冷却期間）を確保することができる。
【００２６】
請求項９に記載の発明は、請求項７または８に記載の外部装置であって、制御部は、制御信号として電子機器の動作態様を作動状態に切り替える旨の信号が入力されたときに、電子機器に出力される電力の制限を禁止するように出力電力制限部を制御し、制御信号出力部は、電子機器に出力される電力の制限が禁止されることによって電子機器の動作態様が待機状態に切り替えられた後に、電子機器の動作態様を作動状態に切り替える旨の信号を制御信号として電子機器に出力することを特徴とする。
【００２７】
上記構成によれば、制御信号として電子機器の動作態様を作動状態に切り替える旨の信号が制御部に入力されたときに、電子機器に出力される電力の制限を禁止するように出力電力制限部が制御される。このため、電子機器への電力供給が抑制されないようになり、電子機器の動作態様を待機状態とすることができる。そして、電子機器に出力される電力の制限が禁止されることによって電子機器の動作態様が待機状態に切り替えられた後に、電子機器の動作態様を作動状態に切り替える旨の制御信号が、外部装置の制御信号出力部から電子機器に出力される。このため、直ちに作動状態へ移行することができない場合（例えば、作動状態に移行するために待機状態を経る必要がある場合）に、電子機器の動作態様を待機状態から作動状態に適切に切り替えることができる。
【００２８】
請求項１０に記載の発明は、請求項７〜９のいずれか一項に記載の外部装置であって、制御信号出力部は、電子機器から出力された信号が入力される信号入力部を兼ねることを特徴とする。
【００２９】
上記構成によれば、制御信号出力部は、電子機器から出力された信号が入力される信号入力部を兼ねる。このため、電子機器の動作態様を制御するための制御信号を電子機器に出力する構成と、電子機器の動作態様を確認するための信号が入力される構成を、共用化することができる。
【００３０】
請求項１１に記載の発明は、請求項７〜１０のいずれか一項に記載の外部装置であって、制御信号出力部を複数備えていることを特徴とする。
上記構成によれば、外部装置は制御信号出力部を複数備えているため、複数の手段のいずれかにより電子機器に制御信号を出力することが可能となる。
【００３１】
請求項１２に記載の発明は、請求項７〜１１のいずれか一項に記載の外部装置であって、制御信号入力部として、外部からの制御信号を受信する制御信号受信部を備えるとともに、制御信号受信部で受信した制御信号を、受信した形式とは異なる形式に変換するための信号変換テーブルが記憶された記憶部をさらに備えることを特徴とする。
【００３２】
上記構成によれば、外部装置は、制御信号入力部としての制御信号受信部で受信した制御信号を、受信した形式とは異なる形式に変換するための信号変換テーブルが記憶された記憶部を備える。このため、記憶部に記憶された信号変換テーブルを用いて制御信号の形式を変換して、制御信号出力部から制御信号を出力することができる。
【００３３】
請求項１３に記載の発明は、請求項１〜１２のいずれか一項に記載の外部装置であって、制御信号入力部を複数備えていることを特徴とする。
上記構成によれば、外部装置は制御信号入力部を複数備えているため、複数の手段のいずれかにより制御部に制御信号を入力することが可能となる。
【００３４】
請求項１４に記載の発明は、請求項１〜１３のいずれか一項に記載の外部装置であって、制御部による出力電力制限部の制御を設定するための操作部を備え、制御部は、操作部を用いて設定された設定内容に基づいて出力電力制限部を制御することを特徴とする。
【００３５】
上記構成によれば、操作部を用いて設定された設定内容に基づいて、出力電力制限部が制御部により制御される。従って、操作部を用いて出力電力制限部の制御を適宜設定し直すことにより、制御部による制御を適宜変更することができる。
【００３６】
請求項１５に記載の発明は、作動状態と該作動状態に比べて消費電力の小さい待機状態とが動作態様として切り替え可能な電子機器と、電子機器に電力を出力して供給するとともに、電子機器の動作態様を制御する外部装置と、外部装置から電子機器に出力される電力の供給元である電源とを備え、外部装置が、電子機器に供給される電力を制限することによって、電子機器の動作態様が、待機状態に代えて、電子機器に供給される電力が制限された状態に切り替えられることを特徴とする。
【００３７】
上記構成によれば、電子機器の動作態様を制御する外部装置が、電子機器に供給される電力を制限することによって、電子機器の動作態様が、消費電力の小さい待機状態に代えて、電子機器に供給される電力が制限された状態に切り替えられる。このため、例えば、電子機器の動作態様を作動状態から待機状態に切り替える場合に、待機状態に代えて、電子機器に供給される電力が制限された状態に切り替えられるため、電子機器への電力供給が抑制される。従って、消費電力の小さい待機状態となっても一定の電力が電子機器に供給され続ける場合に比べて、電子機器への電力供給を抑制して、電子機器の省エネルギー化を図ることができる。また、電子機器の動作態様が、消費電力の小さい待機状態に代えて、電子機器に供給される電力が制限された状態に切り替えられる。即ち、電子機器が作動状態となっている時間は確保される。従って、作動状態の電子機器への電力供給が唐突に抑制されないようにして、例えば電子機器が作動状態となってから所定時間後に電力供給が抑制される場合に比べて、適切なタイミングで電子機器の省エネルギー化を図ることができる。さらに、電子機器への電力供給を抑制することを目的として、例えばケーブルを介した電源と外部装置と電子機器との物理的な接続を切断する必要がなくなる。即ち、例えば、電源と電子機器とを接続するためのケーブルを抜き差しする手間を省くことができる。よって、上記構成によれば、電子機器への電力供給を抑制する際の利便性を向上させるとともに、適切なタイミングで電子機器の省エネルギー化を図ることができる。
【００３８】
請求項１６に記載の発明は、請求項１５に記載の電子機器システムであって、外部装置が、電子機器に供給される電力を遮断することによって、電子機器の動作態様が、待機状態に代えて、電子機器に電力が供給されない状態に切り替えられることを特徴とする。
【００３９】
上記構成によれば、外部装置が、電子機器に供給される電力を遮断することによって、電子機器の動作態様が、待機状態に代えて、電子機器に電力が供給されない状態に切り替えられる。このため、電子機器の省エネルギー化を確実に図ることができる。
【発明の効果】
【００４０】
本発明によれば、電子機器への電力供給を抑制する際の利便性を向上させるとともに、適切なタイミングで電子機器の省エネルギー化を図ることができる。
【図面の簡単な説明】
【００４１】
【図１】本発明の実施形態に係る電子機器システムを示す斜視図。
【図２】同実施形態に係る電子機器の概略構成を示すブロック図。
【図３】同実施形態に係る電子機器の動作の流れを示すフローチャート。
【図４】同実施形態に係る外部装置の概略構成を示すブロック図。
【図５】同実施形態に係る外部装置の外観を示す斜視図。
【図６】同実施形態に係る外部装置の動作の流れを示すフローチャートであって、電子機器を作動させる際のフローチャート。
【図７】同実施形態に係る外部装置の動作の流れを示すフローチャートであって、電子機器の作動を停止させる際のフローチャート。
【図８】同実施形態に係る電子機器の動作態様の変化を示すタイミングチャート。
【図９】本発明の実施形態に係る電子機器システムの変形例を示す斜視図。
【発明を実施するための形態】
【００４２】
以下、本発明を具体化した一実施形態について図面を参照しながら説明する。なお、各図は、電子機器、外部装置及びこれらを用いた電子機器システムを説明する上で必要な構成のみを図示した模式図であり、その他の構成については図示及び説明を省略している。
【００４３】
図１に示すように、本実施形態に係る電子機器システムは、商用電源である電源１と、映像を投写して表示する投写型映像表示装置であるプロジェクタ２と、電源１とプロジェクタ２とを接続する外部装置５と、信号を送信する外部機器８，９とを備えている。
【００４４】
電源１は、商用の交流電源であって、電源１からは交流電力が供給される。本実施形態においては、電源１から外部装置５を介してプロジェクタ２に交流電力が供給されるように構成されている。
【００４５】
外部機器８は、制御信号を送信して電子機器を制御する汎用のコンピュータである。また、外部機器９は、制御信号の一種であるリモコン信号を送信して電子機器を制御する遠隔操作機器であって、プロジェクタ２に対応したリモコン機器である。
【００４６】
プロジェクタ２は、スクリーンや壁等の平面上に映像を投写して表示することができる電子機器である。プロジェクタ２は、外部装置５を介して物理的に電源１及び外部機器８に接続される。
【００４７】
図２に示すように、プロジェクタ２は、外部から入力される映像信号に基づいて映像を表示するために、映像信号入力部２１と、映像信号入力部２１に入力された映像信号に所定の信号処理を施す映像信号処理部２２と、映像信号処理部２２により信号処理が施された映像信号に基づいて映像を投写して表示するための光学系２３とを備えている。
【００４８】
映像信号入力部２１は、例えば、ＨＤＭＩ端子、ＶＧＡ端子等により構成される有線接続手段としてのコネクタや、アンテナを含んで構成される無線接続手段としての無線モジュール等である。映像信号入力部２１を介してプロジェクタ２に映像信号が入力され、映像信号は映像信号入力部２１から映像信号処理部２２に入力される。
【００４９】
映像信号処理部２２は、プロジェクタ２に入力された映像信号に対して種々の信号処理を施す集積回路である。映像信号処理部２２による信号処理の処理内容は、プロジェクタ２が備える制御部４１によって制御される。信号処理が施された映像信号は、映像信号処理部２２から光学系２３を構成する映像生成部２５に入力される。
【００５０】
また、プロジェクタ２は、光学系２３を構成する光学部品として、光を発する光源２４と、光源２４が発した光を用いて映像を生成する映像生成部２５と、映像の光を拡大して投射する投射部２６とを備えている。
【００５１】
光源２４は、映像表示用のランプであって、例えば超高圧水銀ランプやメタルハライドランプ等の放電ランプにより構成されており、光源２４の点灯及び消灯は、プロジェクタ２が備える制御部４１によって切り替えられる。光源２４が発する光（即ち、光源２４から出射された光）は、インテグレータレンズや反射ミラー（いずれも不図示）等の光学部品によって、映像生成部２５に入射するように構成されている。
【００５２】
映像生成部２５は、例えば、ドットマトリクス型のライトバルブである液晶パネルや、微小鏡を格子状に配列したＤＭＤ（Digital Micromirror Device）を備えた電気光学装置により構成されている。映像生成部２５には上述のごとく映像信号が入力され、この映像信号に基づいて液晶パネルやＤＭＤが駆動される。そして、光源２４から出射された光が、液晶パネルを透過したり、ＤＭＤで反射されたりすることによって、映像生成部２５において映像信号に基づいた映像が生成される。
【００５３】
投射部２６は、映像生成部２５により生成された映像の光を拡大して投射するレンズ群により構成されている。従って、映像の光が投射部２６からプロジェクタ２の外部に向けて投射されることにより、プロジェクタ２はスクリーンや壁等の平面上に映像を投写して表示する。
【００５４】
また、プロジェクタ２は、発熱する光学系２３等を冷却するために、送風手段としてのファン２７と、ファン２７を回転させて駆動させるためのファン駆動回路（図示略）が設けられたファン駆動部２８とを備えている。
【００５５】
ファン２７は、光学系２３等に向けて冷却風を送風する冷却ファン、プロジェクタ２の外部から内部へ気体を吸入する吸気ファン、またはプロジェクタ２の内部から外部へ気体を排出する排気ファンである。ファン２７にはファン駆動部２８から電力が供給され、ファン２７の作動態様はファン駆動部２８によって制御される。
【００５６】
ファン駆動部２８は、ファン駆動回路からファン２７に電力を供給してファン２７を駆動する電子部品である。ファン２７に供給される電力は、プロジェクタ２が備える制御部４１からファン駆動部２８に入力される制御信号に基づいて変更される。即ち、ファン駆動部２８は、制御部４１からの制御信号に基づいて、ファン２７の作動態様を制御する。
【００５７】
また、プロジェクタ２は、プロジェクタ２の動作態様を制御するための制御信号を外部から受信する制御信号受信部３０を備えている。本実施形態においては、プロジェクタ２は、制御信号受信部３０として、ＬＡＮ接続部３１、ＲＳ２３２Ｃ接続部３２、リモコン機器用接続部３３、及びリモコン信号受信部３４を備えている。このように制御信号受信部３０を複数備えることにより、複数の手段によりプロジェクタ２に制御信号が入力されることが可能である。
【００５８】
ＬＡＮ接続部３１は、ＬＡＮケーブル（図示略）をプロジェクタ２に接続するための有線接続手段であって、ＬＡＮ（Local Area Network）の接続に使用される汎用の接続端子により構成されている。
【００５９】
ＲＳ２３２Ｃ接続部３２は、ＲＳ−２３２Ｃ規格に準拠した信号ケーブル７３ａ（図１参照）をプロジェクタ２に接続するための有線接続手段であって、シリアル転送通信の接続に使用される汎用の接続端子により構成されている。
【００６０】
リモコン機器用接続部３３は、プロジェクタ２用の周辺装置をプロジェクタ２に接続するための有線接続手段であって、プロジェクタ２の遠隔操作機器であるリモコン機器の有線接続に使用される専用の接続端子により構成されている。
【００６１】
リモコン信号受信部３４は、プロジェクタ２の遠隔操作機器であるリモコン機器と物理的に接続されることなく、制御信号の一種であるリモコン信号をリモコン機器から受信する電子部品である。具体的には、例えば、リモコン信号受信部３４は、赤外線として送信されたリモコン信号を受信する赤外線受光モジュールにより構成されている。また、リモコン信号受信部３４は、電波として送信されたリモコン信号を受信するアンテナモジュールにより構成されていてもよい。
【００６２】
ＬＡＮ接続部３１、ＲＳ２３２Ｃ接続部３２、リモコン機器用接続部３３、またはリモコン信号受信部３４は、プロジェクタ２の動作態様を制御するための制御信号として、プロジェクタ２を作動させる旨の信号、及びプロジェクタ２の作動を停止させる旨の信号を受信する。プロジェクタ２の動作態様を制御するための制御信号は、外部機器９からプロジェクタ２に出力させることが可能であるが、本実施形態においては、外部装置５からプロジェクタ２に出力される。また、本実施形態においては、外部装置５からプロジェクタ２に出力される制御信号を受信する制御信号受信部３０は、ＲＳ２３２Ｃ接続部３２である。
【００６３】
また、プロジェクタ２は、映像信号処理部２２における信号処理や光源２４の点灯態様等を制御する制御部４１と、プログラム等の情報が記憶される記憶部４２と、プロジェクタ２のユーザーによって操作される操作部４３と、プロジェクタ２のユーザーに種々の情報を表示する表示部４４と、時間を計測する時間計測部４５とを備えている。
【００６４】
制御部４１は、プロジェクタ２内の各部を制御する集積回路である。具体的には、制御部４１は、例えばマイコンにより構成され、記憶部４２に記憶されたプログラムを制御部４１が実行することにより、そのプログラムに基づき、映像信号処理部２２、光源２４、ファン駆動部２８が制御部４１により制御される。
【００６５】
操作部４３は、例えば、ユーザーにより押されるボタンやタッチパネル等により構成されている。操作部４３が操作されることにより、操作部４３の操作内容に応じた電気信号が制御部４１に入力され、制御部４１は操作部４３の操作内容に応じた制御信号を出力する。
【００６６】
表示部４４は、例えば、ＬＥＤ（発光ダイオード）により構成され、表示部４４の点灯態様が変化することによって、光源２４の状態等の情報をユーザーに示す。即ち、プロジェクタ２の動作態様に応じて、表示部４４の表示内容を変化させるように構成されている。
【００６７】
以上のようにプロジェクタ２は、電力を消費する電気回路を備えている。即ち、本実施形態においては、電子機器であるプロジェクタ２は、電力を消費する電気回路として、映像信号処理部２２及び制御部４１を構成する集積回路、光源２４を点灯させる点灯回路、ファン２７を駆動させるファン駆動回路、映像生成部２５を駆動させる駆動回路等を備えている。
【００６８】
そして、プロジェクタ２は、電源１からプロジェクタ２内の電気回路に電力を供給するための構成要素として、外部から電力が入力される電源入力部４６と、電源入力部４６に入力された電力を適宜変換して、プロジェクタ２内の電気回路に電力を供給する電源部４７とを備えている。
【００６９】
電源入力部４６は、電源ケーブル５２ａ（図１参照）が接続されるＡＣインレットにより構成されている。本実施形態においては、電源入力部４６は、３極ＡＣインレットであって、交流電力を搬送するための２本の電線（いわゆる、ライブ線及びニュートラル線）が接続される電源端子と、保安用に接地された電線（いわゆる、アース線）が接続される接地端子（いずれも図示略）とを備えている。電源入力部４６を介してプロジェクタ２に電力が入力されると、入力された電力は電源部４７に供給される。このようにして、プロジェクタ２には電力が供給される。
【００７０】
電源部４７は、電源入力部４６を介して入力された電力を適宜変換して、プロジェクタ２内の電気回路に電力を供給する電源ユニットにより構成されている。具体的には、電源部４７は、電源１から得た交流電力を、映像信号処理部２２を構成する電気回路、光学系２３を構成する電気回路、及び待機システム４０を構成する電気回路に供給すべき直流電力が得られるように変換する。そして、変換して得た直流電力を、プロジェクタ２内の電気回路に供給する。即ち、電源部４７は、電源１からの電力を、ＡＣ／ＤＣ変換して、映像信号処理部２２を構成する集積回路、光学系２３を構成する光源２４の点灯回路、映像生成部２５を構成する液晶パネルやＤＭＤの駆動回路、及び待機システム４０の制御部４１を構成する集積回路等の電気回路に供給する。
【００７１】
なお、プロジェクタ２内の電気回路への電力供給は、プロジェクタ２の動作態様に応じて適宜制御される。即ち、映像を表示する作動状態と、映像を表示しないため作動状態に比べて消費電力の小さい待機状態とが、プロジェクタ２の動作態様として切り替え可能な構成となっており、作動状態と待機状態とにおいては、プロジェクタ２の消費電力が異なっている。
【００７２】
即ち、映像を表示しない待機状態においては、光学系２３を構成する光源２４及び映像生成部２５を駆動する必要がないため、光学系２３を構成する電気回路（即ち、光源２４の点灯回路、及び、映像生成部２５を構成する液晶パネルやＤＭＤの駆動回路）に電力が供給されないように構成されている。さらに、待機状態においては、映像信号処理部２２において信号処理を施す必要がないため、映像信号処理部２２を構成する電気回路（即ち、集積回路）に電力が供給されないように構成されている。作動状態においては映像信号処理部２２、光学系２３、ファン駆動部２８、及び待機システム４０を構成する電気回路に電力が供給されるため、作動状態に比べて、待機状態におけるプロジェクタ２の消費電力は小さい。
【００７３】
一方、待機システム４０を構成する電気回路には、待機状態においても、電力が供給される。即ち、待機状態においては、光学系２３や映像信号処理部２２を構成する電気回路には電力が供給されずに、待機システム４０を構成する電気回路に電力が供給されるように構成されている。従って、待機状態においても、制御部４１、記憶部４２、操作部４３、表示部４４、及び時間計測部４５の各部には電力が供給され、待機システム４０はその機能を発揮する。
【００７４】
また、本実施形態においては、作動状態から待機状態に切り替えられる際に、プロジェクタ２の動作態様がクーリング状態となるように構成されている。即ち、高熱となった光源２４を冷却することを目的として、作動状態から待機状態に唐突に切り替えることなく、作動状態からクーリング状態を経て待機状態に切り替えられる。クーリング状態においては、光学系２３や映像信号処理部２２を構成する電気回路には電力が供給されず、ファン駆動部２８を構成するファン駆動回路に電力が供給される。従って、作動状態に比べて、クーリング状態におけるプロジェクタ２の消費電力は小さく、待機状態に比べて、クーリング状態におけるプロジェクタ２の消費電力は大きい。
【００７５】
なお、上述のごとくプロジェクタ２の各部に電力が供給されるためには、外部装置５から出力される電力が制限されることが禁止されており、外部装置５からプロジェクタ２に電力が供給されている必要がある。
【００７６】
プロジェクタ２の動作態様の切り替えは、制御信号受信部３０で受信したプロジェクタ２の動作態様を制御するための制御信号に基づいて行われる。具体的には、プロジェクタ２を作動させる旨の信号を制御信号受信部３０で受信したときには、制御部４１は、映像信号処理部２２、光学系２３、ファン駆動部２８に電力が供給されるように電源部４７を制御する。また、プロジェクタ２の作動を停止させる旨の信号を制御信号受信部３０で受信したときには、制御部４１は、映像信号処理部２２及び光学系２３へ電力が供給されないように電源部４７を制御した後に、所定時間をあけて、ファン駆動部２８へ電力が供給されないように電源部４７を制御する。
【００７７】
次に、図３を参照しながら、プロジェクタ２を作動させてからその作動を停止させるまでの流れを説明する。図３に示す動作は、プロジェクタ２に電力が供給されることによりスタートする。
【００７８】
図３に示すように、まず、プロジェクタ２に電力が供給されると、プロジェクタ２は、電力が供給されていない電源遮断状態から待機状態に移行する（ステップＳ１）。即ち、ステップＳ１においては、プロジェクタ２に電力が供給されて、直ちに光学系２３や映像信号処理部２２に電力が供給されずに、待機システム４０への電力の供給が開始される。
【００７９】
次いで、プロジェクタ２の制御部４１は、プロジェクタ２を作動させる旨の信号が入力されたか否かを判断する（ステップＳ２）。即ち、ステップＳ２においては、制御信号受信部３０で、外部装置５からプロジェクタ２に出力された制御信号であって、プロジェクタ２の動作態様を作動状態に切り替える旨の信号を受信したか否かが判断される。
【００８０】
プロジェクタ２を作動させる旨の信号が入力されたとステップＳ２において判断された場合、即ち、プロジェクタ２の動作態様を作動状態に切り替える旨の信号が入力された場合には、待機システム４０だけでなく、光学系２３や映像信号処理部２２への電力の供給が開始され、プロジェクタ２の動作態様が作動状態に移行する（ステップＳ３）。従って、プロジェクタ２の動作態様を作動状態に切り替える旨の信号が入力されていない場合、即ち、プロジェクタ２を作動させる旨の信号が入力されたとステップＳ２において判断されなかった場合には、ステップＳ３の動作は行われずにステップＳ２の動作が繰り返される。
【００８１】
次いで、プロジェクタ２の制御部４１は、プロジェクタ２の作動を停止させる旨の信号が入力されたか否かを判断する（ステップＳ４）。即ち、ステップＳ２においては、制御信号受信部３０で、外部装置５からプロジェクタ２に出力された制御信号であって、プロジェクタ２の動作態様を待機状態に切り替える旨の信号を受信したか否かが判断される。
【００８２】
プロジェクタ２の作動を停止させる旨の信号が入力されたとステップＳ４において判断された場合、即ち、プロジェクタ２の動作態様を待機状態に切り替える旨の信号が入力された場合には、映像信号処理部２２及び光学系２３への電力の供給が停止される。さらに映像信号処理部２２及び光学系２３への電力の供給が停止されてから所定時間後に、ファン駆動部２８への電力の供給が停止されて、プロジェクタ２の動作態様が待機状態に移行する（ステップＳ５）。従って、プロジェクタ２の動作態様を待機状態に切り替える旨の信号が入力されていない場合、即ち、プロジェクタ２の作動を停止させる旨の信号が入力されたとステップＳ４において判断されなかった場合には、ステップＳ５の動作は行われずにステップＳ４の動作が繰り返される。
【００８３】
外部装置５は、プロジェクタ２の外部からプロジェクタ２の動作態様（即ち、プロジェクタ２の作動状態及び待機状態）を制御する制御装置である。即ち、外部装置５は、電源１から外部装置５に電力が供給されている状態において、プロジェクタ２を制御できるように待機している外部待機制御装置である。
【００８４】
図４に示すように、外部装置５は、プロジェクタ２に電力を出力して供給する装置であって、外部装置５は、プロジェクタ２に電力を供給するための構成要素として、電源１に接続されて電力が入力される電源入力部５１と、電源入力部５１に入力された電力をプロジェクタ２に出力する電源出力部５２とを備えている。
【００８５】
電源入力部５１は、電源ケーブル５１ａ（図１参照）が接続されるＡＣインレットにより構成されている。本実施形態においては、電源入力部５１は、図５に示すように、３極ＡＣインレットであって、交流電力を搬送するための２本の電線（いわゆる、ライブ線及びニュートラル線）が接続される電源端子５１ｂ，５１ｃと、保安用に接地された電線（いわゆる、アース線）が接続される接地端子５１ｄとを備えている。電源１と電源入力部５１とが電源ケーブル５１ａにより接続されることによって、電源入力部５１を介して外部装置５に電力が入力される。このようにして、プロジェクタ２に供給される電力は、外部装置５に一旦供給される。
【００８６】
電源出力部５２は、電源ケーブル５２ａ（図１参照）が接続されるＡＣアウトレットにより構成されている。本実施形態においては、電源出力部５２は、３極ＡＣアウトレットであって、電源入力部５１と同様に、交流電力を搬送するための２本の電線（いわゆる、ライブ線及びニュートラル線）が接続される電源端子５２ｂ，５２ｃと、保安用に接地された電線（いわゆる、アース線）が接続される接地端子５２ｄとを備えている。電源出力部５２とプロジェクタ２とが電源ケーブル５２ａにより接続されることによって、電源出力部５２を介してプロジェクタ２に電力を出力できる構成となる。
【００８７】
なお、電源ケーブル５１ａ，５２ａの接続作業時において、電源入力部５１及び電源出力部５２を容易に区別できるように、電源入力部５１及び電源出力部５２の外観形状は互いに異なることが好ましい。本実施形態においては、電源入力部５１及び電源出力部５２を容易に区別できるようにするとともに電源ケーブル５１ａ，５２ａの誤接続を防ぐために、接地端子５１ｄ，５２ｄの形状が互いに異なっている。
【００８８】
以上のように構成された電源入力部５１及び電源出力部５２は、外部装置５内において、交流電圧が印加されるライブ線５ａと、基準電位に接続されるニュートラル線５ｂと、保安用に接地されるアース線５ｃとにより互いに接続される。より具体的には、電源端子５１ｂ，５２ｂがライブ線５ａにより互いに接続され、電源端子５１ｃ，５２ｃがニュートラル線５ｂにより互いに接続され、接地端子５１ｄ，５２ｄがアース線５ｃにより互いに接続される。電源端子５１ｂ，５２ｂがライブ線５ａにより接続され、電源端子５１ｃ，５２ｃがニュートラル線５ｂにより接続されていることにより、電源入力部５１から電源出力部５２へ交流電力が搬送される。
【００８９】
また、外部装置５は、プロジェクタ２に供給される電力を制御するための構成要素として、外部装置５内の各部を制御する制御部５３と、制御部５３が実行するプログラムを記憶する記憶部５４と、電力の制御等に係る情報を表示する表示部５５と、時間を計測する時間計測部５６と、出力する電力を制限する出力電力制限部５７とを備えている。
【００９０】
制御部５３は、外部装置５内の各部を制御する集積回路である。具体的には、制御部５３は、例えばマイコンにより構成され、記憶部５４に記憶されたプログラムを制御部５３が実行することにより、そのプログラムに基づき、表示部５５、時間計測部５６、出力電力制限部５７が制御部５３により制御される。
【００９１】
記憶部５４は、不揮発性メモリ等の読み書き可能な記憶媒体である。記憶部５４には、外部装置５の動作に係る基本的なプログラムが予め記憶されている。また、記憶部５４には、操作部５９の操作等によって設定された設定内容に係る情報であって、外部装置５の動作（即ち、上記プログラムの実行）に用いられる情報が記憶される。
【００９２】
表示部５５は、例えば、図５に示すように、ＬＥＤ表示部５５ａ，５５ｂ，５５ｃ，５５ｄと、ＬＣＤ表示部５５ｅとにより構成されている。ＬＥＤ表示部５５ａ，５５ｂ，５５ｃ，５５ｄの各々は、ＬＥＤ（発光ダイオード）により構成されている。ＬＥＤ表示部５５ａは、外部装置５がプロジェクタ２を制御できるように待機している場合に点灯し、ＬＥＤ表示部５５ｂは、外部装置５の動作設定中において点灯し、ＬＥＤ表示部５５ｃは、外部装置５からプロジェクタ２への電力供給中に点灯し、ＬＥＤ表示部５５ｄは、外部装置５からプロジェクタ２への電力供給の遮断中に点灯する。また、ＬＣＤ表示部５５ｅは、絵や文字等を表示可能な液晶パネルにより構成されている。ＬＣＤ表示部５５ｅは、外部装置５の動作設定に係る映像を表示し、動作設定に係る映像として、例えばユーザーにより設定可能な項目を一覧として含む設定メニューを表示する。なお、電源１から外部装置５に電力が供給されている状態において、ＬＥＤ表示部５５ａには電力が供給され続けるが、ＬＣＤ表示部５５ｅには、外部装置５の動作設定の作業時においてのみ電力が供給されるように構成されている。このようにＬＣＤ表示部５５ｅに電力が供給され続けないように構成されることによって、外部装置５の待機電力が抑制される。
【００９３】
時間計測部５６は、時間を計測するタイマであって、時間計測部５６により時間が計測されることによって、制御部５３は、所定時間が経過したか否かを判断することができる。なお、外部装置５の構成を簡略化する観点から、時間計測部５６を構成するタイマは、制御部５３を構成するマイコンに内蔵されていることが好ましい。
【００９４】
出力電力制限部５７は、電源出力部５２からプロジェクタ２に出力される電力を制限する回路構成であって、具体的には、電源入力部５１と電源出力部５２とを接続する配線に設けられたリレー５７ａにより構成されている。本実施形態においては、電源入力部５１と電源出力部５２とを接続する配線のうち、基準電位に接続されずに交流電圧が印加されるライブ線５ａに設けられている。なお、同リレー５７ａを、ニュートラル線５ｂに設ける構成としてもよいが、電源端子５２ｂに電圧が印加されないようにライブ線５ａにリレー５７ａが設けられていることが好ましい。
【００９５】
リレー５７ａは、電源入力部５１と電源出力部５２とが接続される電気回路を開いた状態とする開状態と、同電気回路を閉じた状態とする閉状態とを取り得る回路構成である。リレー５７ａの状態は、制御部５３から出力される制御信号としての電気信号に基づいて制御される。即ち、制御部５３によってリレー５７ａが制御される。
【００９６】
リレー５７ａが閉状態となることによって、電源入力部５１から電源出力部５２へ交流電力が搬送される。このように、電源入力部５１から電源出力部５２へ交流電力が搬送されることによって、電源出力部５２とプロジェクタ２とが電源ケーブル５２ａにより接続されている状態において、電源出力部５２を介してプロジェクタ２に電力が出力される。
【００９７】
また、リレー５７ａが開状態となることによって、電源入力部５１から電源出力部５２への交流電力の搬送が禁止される。このように、電源入力部５１から電源出力部５２への交流電力の搬送が禁止されることによって、電源出力部５２とプロジェクタ２とが電源ケーブル５２ａにより接続されている状態であっても、電源出力部５２を介してプロジェクタ２に電力が出力されることが抑制される。
【００９８】
以上のように出力電力制限部５７は、電源出力部５２からプロジェクタ２に電力を出力するか否かを切り替えるスイッチ部として機能する。なお、出力電力制限部５７を構成するリレー５７ａは、有接点型の機械式リレー及び無接点型の半導体リレーのいずれでもよい。
【００９９】
また、外部装置５は、電源１から外部装置５内の電気回路に電力を供給するための構成要素として、電源入力部５１に入力された電力を適宜変換して、外部装置５内の電気回路に電力を供給する電源部５８を備えている。電源部５８は、電源入力部５１と電源出力部５２とを接続する配線において、出力電力制限部５７に比べて電源入力部５１側のライブ線５ａ及びニュートラル線５ｂに接続されて設けられている。このように、出力電力制限部５７よりも電源入力部５１に近い方において電力経路が分岐されているため、リレー５７ａが開状態であっても電源部５８に電力が供給される。
【０１００】
電源部５８は、電源入力部５１を介して外部装置５に入力された電力を適宜変換して、外部装置５内の電気回路に電力を供給する電源ユニットにより構成されている。具体的には、電源部５８は、電源１から得た交流電力を、制御部５３、ＬＥＤ表示部５５ａ，５５ｂ、５５ｃ、５５ｄ、ＬＣＤ表示部５５ｅ等を構成する電気回路に供給すべき直流電力が得られるように変換する。そして、変換して得た直流電力を、外部装置５内の電気回路に供給する。即ち、電源部５８は、電源１からの電力を、ＡＣ／ＤＣ変換して、制御部５３を構成する集積回路、ＬＥＤ表示部５５ａ，５５ｂ，５５ｃ，５５ｄを構成するＬＥＤの点灯回路、及び、ＬＣＤ表示部５５ｅを構成する液晶パネルの駆動回路等の電気回路に供給する。
【０１０１】
また、外部装置５は、プロジェクタ２の制御やその制御に係る外部装置５の動作の設定を目的として、プロジェクタ２のユーザーでもある外部装置５のユーザーによって操作される操作部５９を備えている。
【０１０２】
操作部５９は、例えば、ユーザーにより押されるボタンやタッチパネル等により構成される。操作部５９が操作されることにより、操作部５９の操作内容に応じた電気信号が操作部５９から制御部５３に入力され、制御部５３は、操作部５９の操作内容に応じて外部装置５内の各部を制御する。
【０１０３】
本実施形態においては、操作部５９は、図５に示すように、メニューキー５９ａと、セットキー５９ｂと、選択変更キー５９ｃと、電源供給オンキー５９ｄと、電源供給オフキー５９ｅとにより構成されている。メニューキー５９ａが操作されると、ＬＣＤ表示部５５ｅに電源部５８から電力が供給されて、ＬＣＤ表示部５５ｅに設定メニューが表示され、設定メニューが表示されているときにメニューキー５９ａが操作されると、ＬＣＤ表示部５５ｅに電源部５８から電力供給が遮断されて、設定メニューが表示されなくなる。このようにして、待機中に使用されないＬＣＤ表示部５５ｅの消費電力を削減できる。また、セットキー５９ｂが操作されると、選択されている内容が設定され、選択変更キー５９ｃが操作されると、選択対象となる内容が変更される。
【０１０４】
また、電源供給オンキー５９ｄが操作されると、プロジェクタ２の動作態様を作動状態に切り替える旨の信号が制御部５３に入力され、電源供給オフキー５９ｅが操作されると、プロジェクタ２の動作態様を作動状態から切り替える旨の信号が制御部５３に入力される。即ち、操作部５９である電源供給オンキー５９ｄ及び電源供給オフキー５９ｅは、プロジェクタ２の動作態様を制御するための制御信号を制御部５３に入力する制御信号入力部６０である。
【０１０５】
また、外部装置５は、プロジェクタ２の動作態様を制御するための制御信号を制御部５３に入力する制御信号入力部６０として、さらに、リモコン信号受信部６１と、リモコン機器用接続部６２と、ＲＳ２３２Ｃ接続部６３とを備えている。
【０１０６】
リモコン信号受信部６１は、リモコン信号受信部３４と同様に、外部機器９と物理的に接続されることなく、制御信号の一種であるリモコン信号を外部機器９から受信する電子部品である。具体的には、例えば、リモコン信号受信部６１は、赤外線として送信されたリモコン信号を受信する赤外線受光モジュールにより構成されている。また、リモコン信号受信部６１は、電波として送信されたリモコン信号を受信するアンテナモジュールにより構成されていてもよい。
【０１０７】
リモコン機器用接続部６２は、プロジェクタ２に対応した外部機器９をプロジェクタ２に接続するための有線接続手段であって、プロジェクタ２のリモコン機器の有線接続に使用される専用の接続端子により構成されている。
【０１０８】
ＲＳ２３２Ｃ接続部６３は、ＲＳ−２３２Ｃ規格に準拠した信号ケーブル６３ａ（図１参照）を外部装置５に接続するための有線接続手段であって、シリアル転送通信の接続に使用される汎用の接続端子により構成されている。本実施形態においては、ＲＳ２３２Ｃ接続部６３には、信号ケーブル６３ａを介して外部機器８が接続される。
【０１０９】
以上のように構成された制御信号入力部６０の各々から、制御部５３に制御信号が入力される。即ち、リモコン信号受信部６１で受信した外部機器９からの制御信号であるリモコン信号が、制御部５３に入力され、リモコン機器用接続部６２に入力されて受信した外部機器９からの制御信号であるリモコン信号が、制御部５３に入力される。また、ＲＳ２３２Ｃ接続部６３に入力されて受信した外部機器８からの制御信号が、制御部５３に入力される。
【０１１０】
なお、制御信号入力部６０の構成は適宜変更してもよい。例えば、外部装置５が、リモコン機器用接続部６２やＲＳ２３２Ｃ接続部６３を備えない構成であってもよい。このように外部装置５の制御信号入力部６０に係る構成が簡素であれば、外部装置５の消費電力が小さくなる。即ち、電源部５８から制御信号入力部６０を構成する各部に電力が供給されるため、制御信号入力部６０に係る構成が簡素であれば、外部装置５における電力削減効果は向上する。
【０１１１】
また、例えば、外部装置５が、制御信号入力部６０として、ＬＡＮ（Local Area Network）の接続に使用される汎用の接続端子により構成されたＬＡＮ接続部（不図示）、ＵＳＢ（Universal Serial Bus）規格に準拠したＵＳＢケーブルが接続されるＵＳＢ接続部（不図示）を備えるように構成してもよい。このように外部装置５がさらにＬＡＮ接続部等を備えている構成によれば、外部装置５の消費電力が大きくなるものの、制御部５３への制御信号の入力について柔軟に対応できる。
【０１１２】
外部から入力された制御信号は、制御部５３によって適宜処理されて、プロジェクタ２の動作態様を制御するための制御信号として、プロジェクタ２に出力される。具体的には、例えば、外部機器９からの制御信号を受信する制御信号受信部であるリモコン信号受信部６１で受信したリモコン信号は、受信した形式とは異なる形式に変換される。即ち、リモコン信号受信部６１で受信した制御信号を、受信した形式とは異なる形式に変換するための信号変換テーブルが記憶部５４に記憶されており、制御部５３が、この信号変換テーブルに基づいてリモコン信号を処理して、受信した形式とは異なる他の形式に変換する。なお、このような処理を行わずに、外部からのリモコン信号をそのままプロジェクタ２に出力する構成としてもよい。
【０１１３】
そして、外部装置５は、プロジェクタ２の動作態様を制御するための制御信号をプロジェクタ２に出力する制御信号出力部７０として、リモコン信号送信部７１と、被制御機器用接続部７２と、ＲＳ２３２Ｃ接続部７３とを備えている。
【０１１４】
リモコン信号送信部７１は、プロジェクタ２と物理的に接続されることなく、制御信号の一種であるリモコン信号を外部装置５から送信する電子部品である。具体的には、例えば、リモコン信号送信部７１は、リモコン信号を赤外線として送信する赤外線発光モジュールにより構成されている。また、リモコン信号送信部７１は、リモコン信号を電波として送信するアンテナモジュールにより構成されていてもよい。
【０１１５】
被制御機器用接続部７２は、外部機器９に対応した被制御機器であるプロジェクタ２を外部装置５に接続するための有線接続手段であって、プロジェクタ２のリモコン機器の有線接続に使用される専用の接続端子により構成されている。
【０１１６】
ＲＳ２３２Ｃ接続部７３は、ＲＳ−２３２Ｃ規格に準拠した信号ケーブル７３ａ（図１参照）を外部装置５に接続するための有線接続手段であって、シリアル転送通信の接続に使用される汎用の接続端子により構成されている。本実施形態においては、ＲＳ２３２Ｃ接続部７３には、信号ケーブル７３ａを介してプロジェクタ２が接続される。
【０１１７】
以上のように構成された制御信号出力部７０の各々から、プロジェクタ２に制御信号が出力される。即ち、プロジェクタ２の動作態様を制御するための制御信号が、リモコン信号送信部７１、被制御機器用接続部７２、及びＲＳ２３２Ｃ接続部７３のいずれかから出力される。本実施形態においては、ＲＳ２３２Ｃ接続部７３から制御信号が出力される。
【０１１８】
また、制御信号出力部７０であるＲＳ２３２Ｃ接続部７３は、プロジェクタ２から出力された信号が入力される信号入力部を兼ねている。即ち、ＲＳ２３２Ｃ接続部７３を介して、外部装置５とプロジェクタ２は双方向通信を行う。これを利用し、制御部５３は、ＲＳ２３２Ｃ接続部７３に入力されたプロジェクタ２からの信号に基づいて、プロジェクタ２の動作態様を監視するとともに、その監視結果に基づいて出力電力制限部５７を制御する。
【０１１９】
なお、制御信号入力部６０と同様に、制御信号出力部７０の構成は適宜変更してもよい。例えば、外部装置５が、リモコン信号送信部７１や被制御機器用接続部７２を備えない構成であってもよい。このように外部装置５の制御信号出力部７０に係る構成が簡素であれば、外部装置５の消費電力が小さくなる。即ち、電源部５８から制御信号出力部７０を構成する各部に電力が供給されるため、制御信号出力部７０に係る構成が簡素であれば、外部装置５における電力削減効果は向上する。
【０１２０】
また、例えば、外部装置５が、制御信号出力部７０として、ＬＡＮの接続に使用される汎用の接続端子により構成されたＬＡＮ接続部（不図示）、ＵＳＢ規格に準拠したＵＳＢケーブルが接続されるＵＳＢ接続部（不図示）を備えるように構成してもよい。このように外部装置５がさらにＬＡＮ接続部等を備えている構成によれば、外部装置５の消費電力が大きくなるものの、外部装置５から電子機器への制御信号の出力について柔軟に対応できる。
【０１２１】
本実施形態においては、制御部５３が、信号変換テーブルに基づいてリモコン信号を処理して、受信した形式とは異なる他の形式に変換する。このため、外部から入力された制御信号が制御部５３で適宜処理されることにより、例えばリモコン信号受信部６１を介して入力された制御信号を、リモコン信号送信部７１だけでなくＲＳ２３２Ｃ接続部７３からも出力させることが可能である。
【０１２２】
本実施形態においては、操作部５９の操作によって、または、外部機器８，９を用いて、外部装置５の動作が設定できるように構成されている。具体的には、本実施形態においては、制御信号入力部６０の使用可否と、制御信号出力部７０の使用可否と、制御部５３が処理する制御信号と、電源投入と装置起動のタイミングと、装置停止と電源遮断のタイミングとが、設定できるように構成されている。
【０１２３】
制御信号入力部６０の使用可否の設定は、具体的には、制御部５３に制御信号を入力することを可能とすべき制御信号入力部６０の選択である。即ち、外部装置５の周囲の赤外線ノイズ源の有無や、外部装置５の設置場所や、外部装置５の制御方法等を考慮して、制御部５３への制御信号の入力を許可する制御信号入力部６０が設定される。本実施形態においては、操作部５９（電源供給オンキー５９ｄ及び電源供給オフキー５９ｅ）及びリモコン信号受信部６１及びＲＳ２３２Ｃ接続部６３から制御部５３へ制御信号が入力されるように設定されている。このように制御信号入力部６０の各々の使用可否が設定されることにより、制御部５３への制御信号の入力が許可されていない制御信号入力部６０への電力供給が遮断されて、外部装置５の待機電力が削減される。
【０１２４】
また、制御信号出力部７０の使用可否の設定は、具体的には、制御信号を電子機器に出力することを可能とすべき制御信号出力部７０の選択である。即ち、外部装置５に接続される電子機器であるプロジェクタ２のインタフェースを考慮して、プロジェクタ２への制御信号の出力を許可する制御信号出力部７０が設定される。本実施形態においては、ＲＳ２３２Ｃ接続部７３からプロジェクタ２へ制御信号が出力されるように設定されている。なお、ＲＳ２３２Ｃ接続部７３からだけでなく、リモコン信号送信部７１からも制御信号が出力されるように設定されていてもよい。このように制御信号出力部７０の各々の使用可否が設定されることにより、プロジェクタ２への制御信号の出力が許可されていない制御信号出力部７０への電力供給が遮断されて、外部装置５の待機電力が削減される。
【０１２５】
また、制御部５３が処理する制御信号の設定は、制御部５３に入力される制御信号であって電子機器を制御するための信号の設定である。本実施形態においては、プロジェクタ２を作動状態とする旨の制御信号と、プロジェクタ２の作動状態を禁止する旨の制御信号とが設定される。プロジェクタ２を作動状態とする旨の信号は、光源２４を点灯させる信号であって、プロジェクタ２の動作態様を待機状態から作動状態に切り替える旨の信号である。また、プロジェクタ２の作動状態を禁止する旨の信号は、光源２４を消灯させる信号であって、プロジェクタ２の動作態様を作動状態から待機状態に切り替える旨の信号である。上記信号の設定は、予め記憶部５４に記憶されている制御信号を選択することにより設定されてもよく、入力された制御信号を記憶部５４に記憶させて外部装置５に学習させることにより設定されてもよい。
【０１２６】
なお、制御部５３が処理する制御信号の設定において、制御信号入力部６０を介して入力される制御信号だけでなく、ＲＳ２３２Ｃ接続部７３を介してプロジェクタ２から入力される信号が設定されるように構成してもよい。即ち、電子機器の動作態様を監視するために電子機器から入力される信号を記憶部５４に記憶させて、外部装置５に学習させてもよい。
【０１２７】
また、電源投入と装置起動のタイミングの設定は、プロジェクタ２への電力供給を開始してから、プロジェクタ２を作動させる旨の制御信号を外部装置５からプロジェクタ２へ出力するまでの時間の設定である。例えば、プロジェクタ２へ電力供給が開始されると、直ちに、プロジェクタ２を作動させる旨の制御信号を外部装置５からプロジェクタ２へ出力させるように設定することが可能である。また、プロジェクタ２へ電力供給が開始されてから所定時間後に、プロジェクタ２を作動させる旨の制御信号を外部装置５からプロジェクタ２へ出力させるように設定することが可能である。さらに、プロジェクタ２へ電力供給が開始されてから、プロジェクタ２が待機状態へ移行したことを検知して、プロジェクタ２を作動させる旨の制御信号を外部装置５からプロジェクタ２へ出力させるように設定することが可能である。本実施形態においては、プロジェクタ２へ電力供給が開始されてから、プロジェクタ２が待機状態へ移行したことを検知して、プロジェクタ２を作動させる旨の制御信号を外部装置５からプロジェクタ２へ出力させるように設定されている。
【０１２８】
また、装置停止と電源遮断のタイミングの設定は、プロジェクタ２の作動を停止させる旨の制御信号を外部装置５からプロジェクタ２へ出力してから、プロジェクタ２への電力供給を遮断するまでの時間の設定である。例えば、プロジェクタ２の作動を停止させる旨の制御信号が外部装置５からプロジェクタ２へ出力されると、直ちに、プロジェクタ２への電力供給を遮断させるように設定することが可能である。また、プロジェクタ２の作動を停止させる旨の制御信号が外部装置５からプロジェクタ２へ出力されてから所定時間後に、プロジェクタ２への電力供給を遮断させるように設定することが可能である。さらに、プロジェクタ２の作動を停止させる旨の制御信号が外部装置５からプロジェクタ２へ出力されてから、プロジェクタ２が待機状態へ移行したことを検知して、プロジェクタ２への電力供給を遮断させるように設定することが可能である。本実施形態においては、プロジェクタ２の作動を停止させる旨の制御信号が外部装置５からプロジェクタ２へ出力されてから、プロジェクタ２が待機状態へ移行したことを検知して、プロジェクタ２への電力供給を遮断させるように設定されている。
【０１２９】
上記の各設定は、制御信号入力部６０を用いて行うことができる。即ち、操作部５９（メニューキー５９ａ及びセットキー５９ｂ及び選択変更キー５９ｃ）を操作することにより、外部装置５の動作を設定するための制御信号が制御部５３に入力され、操作部５９の操作内容に基づいて外部装置５の動作が設定される。従って、外部装置５は、制御部５３による出力電力制限部５７の制御を設定するために操作部５９を備えており、制御部５３は、操作部５９を用いて設定された設定内容に基づいて出力電力制限部５７を制御する構成となっている。また、外部機器８，９から制御信号入力部６０を介して、外部装置５の動作を設定するための制御信号が制御部５３に入力され、外部からの制御信号に基づいて外部装置５の動作が設定される。即ち、制御信号入力部６０からは、プロジェクタ２の動作態様を制御するための制御信号だけでなく、外部装置５自体の動作を制御するための制御信号も入力される。
【０１３０】
以上のように外部装置５の動作が制御信号入力部６０を用いて設定できるように構成されているため、外部装置５を接続する電子機器に応じて、外部装置５の動作を再設定することもできる。即ち、例えばプロジェクタ２の機種に応じた適切な動作を行うように、外部装置５の動作を設定し直すこともできる。
【０１３１】
次に、図６を参照しながら、プロジェクタ２を作動させる際の外部装置５の動作の流れを説明する。図６に示す動作は、外部装置５が電源１とプロジェクタ２とに接続されている状態であって、外部装置５からプロジェクタ２に電力が供給されていない状態（即ち、電源遮断状態）においてスタートする。
【０１３２】
図６に示すように、まず、外部装置５の制御部５３は、プロジェクタ２を作動させる旨の信号が入力されたか否かを判断する（ステップＳ１１）。即ち、ステップＳ１１においては、操作部５９である電源供給オンキー５９ｄ、リモコン信号受信部６１、及びＲＳ２３２Ｃ接続部６３のいずれかの制御信号入力部６０から、プロジェクタ２の動作態様を作動状態に切り替える旨の信号が、制御信号として制御部５３に入力されたか否かが判断される。
【０１３３】
プロジェクタ２の動作態様を作動状態に切り替える旨の信号は、プロジェクタ２に映像を表示させるユーザーの意図を示す制御信号であって、プロジェクタ２の動作態様を作動状態とする旨の信号である。より具体的には、プロジェクタ２の動作態様を作動状態に切り替える旨の信号は、例えば、プロジェクタ２の動作態様を待機状態から作動状態に切り替える旨の信号である。
【０１３４】
プロジェクタ２を作動させる旨の信号が入力されたとステップＳ１１において判断された場合には、外部装置５は、プロジェクタ２への電力供給を開始する（ステップＳ１２）。即ち、ステップＳ１２においては、プロジェクタ２の動作態様を作動状態に切り替える旨の信号が制御信号として外部装置５に入力されたことが検知されると、外部装置５の制御部５３が、プロジェクタ２に出力される電力の制限を禁止するように出力電力制限部５７を制御する。より具体的には、制御部５３は、リレー５７ａを閉状態として、プロジェクタ２に電力を出力するようにスイッチ部である出力電力制限部５７を制御する。従って、プロジェクタ２の動作態様を作動状態に切り替える旨の信号が制御信号として外部装置５に入力されたことが検知されない場合、即ち、プロジェクタ２を作動させる旨の信号が入力されていないとステップＳ１１において判断された場合には、ステップＳ１２の動作は行われずにステップＳ１１の動作が繰り返される。
【０１３５】
次いで、外部装置５の制御部５３は、プロジェクタ２が電源遮断状態から待機状態へ移行したか否かを判断する（ステップＳ１３）。本実施形態においては、外部装置５は、プロジェクタ２から出力された信号が入力される信号入力部としてＲＳ２３２Ｃ接続部７３を備えており、制御部５３は、ＲＳ２３２Ｃ接続部７３に入力されたプロジェクタ２からの信号であって、プロジェクタ２の動作態様を示す信号に基づいて、プロジェクタ２が待機状態へ移行したか否かを判断する。なお、このようなプロジェクタ２の動作態様を示す信号の取得は、例えば、外部装置５が状態取得信号をプロジェクタ２へ送信し、待機状態となったプロジェクタ２が、外部装置５から送信された状態取得信号に応じて、プロジェクタ２の動作態様を示す信号として待機状態となったことを示す信号を外部装置５に送信することによって行われる。このような場合には、外部装置５は、待機状態となったことを示す信号が外部装置５から送信されるまでの間、状態取得信号を一定周期でプロジェクタ２へ送信する。
【０１３６】
プロジェクタ２が待機状態へ移行したとステップＳ１３において判断された場合には、外部装置５の制御信号出力部７０であるＲＳ２３２Ｃ接続部７３は、プロジェクタ２を作動させる旨の信号をプロジェクタ２へ出力する（ステップＳ１４）。即ち、ステップＳ１４においては、プロジェクタ２の動作態様が待機状態に移行した後に、プロジェクタ２の動作態様を作動状態に切り替える旨の信号が、制御信号として外部装置５からプロジェクタ２へ出力される。従って、プロジェクタ２が待機状態となったことを示す信号をプロジェクタ２から検知できない場合、即ち、プロジェクタ２が待機状態に移行したとステップＳ１３において判断されていない場合には、ステップＳ１４の動作は行われずにステップＳ１３の動作が繰り返される。
【０１３７】
以上のようにして、プロジェクタ２を作動させる旨の信号が制御部５３に入力されると、ステップＳ１２以降の一連の動作が行われる。即ち、外部装置５の制御部５３は、制御信号としてプロジェクタ２の動作態様を作動状態に切り替える旨の信号が制御部５３に入力されたときには、プロジェクタ２に出力される電力の制限を禁止するように出力電力制限部５７を制御する。
【０１３８】
次に、図７を参照しながら、プロジェクタ２の作動を停止させる際の外部装置５の動作の流れを説明する。図７に示す動作は、外部装置５が電源１とプロジェクタ２とに接続されている状態であって、プロジェクタ２の光源２４が点灯している状態（即ち、プロジェクタ２の作動状態）においてスタートする。
【０１３９】
図７に示すように、まず、外部装置５の制御部５３は、プロジェクタ２の作動を停止させる旨の制御信号が入力されたか否かを判断する（ステップＳ２１）。即ち、ステップＳ２１においては、操作部５９である電源供給オフキー５９ｅ、リモコン信号受信部６１、及びＲＳ２３２Ｃ接続部６３のいずれかの制御信号入力部６０から、プロジェクタ２の作動状態を禁止する旨の信号が、制御信号として制御部５３に入力されたか否かが判断される。
【０１４０】
プロジェクタ２の作動状態を禁止する旨の信号は、作動状態を禁止するユーザーの意図を示す制御信号であって、プロジェクタ２の動作態様を作動状態から切り替える旨の信号である。より具体的には、プロジェクタ２の作動状態を禁止する旨の信号は、例えば、プロジェクタ２の動作態様を作動状態から待機状態に切り替える旨の信号である。
【０１４１】
プロジェクタ２の作動を停止させる旨の信号が入力されたとステップＳ２１において判断された場合には、外部装置５の制御信号出力部７０であるＲＳ２３２Ｃ接続部７３は、プロジェクタ２の作動を停止させる旨の信号をプロジェクタ２へ出力する（ステップＳ２２）。即ち、ステップＳ２２においては、プロジェクタ２の作動状態を禁止する旨の信号が制御信号として外部装置５に入力されたことが検知されると、プロジェクタ２の作動状態を禁止する旨の信号が、制御信号として外部装置５からプロジェクタ２へ出力される。従って、プロジェクタ２の作動状態を禁止する旨の信号が制御信号として外部装置５に入力されたことが検知されない場合、即ち、プロジェクタ２の作動を停止させる旨の信号が入力されていないとステップＳ２１において判断された場合には、ステップＳ２２の動作は行われずにステップＳ２１の動作が繰り返される。
【０１４２】
次いで、外部装置５の制御部５３は、プロジェクタ２が作動状態から待機状態へ移行したか否かを判断する（ステップＳ２３）。上述のごとく、外部装置５は、プロジェクタ２から出力された信号が入力される信号入力部としてＲＳ２３２Ｃ接続部７３を備えており、制御部５３は、ＲＳ２３２Ｃ接続部７３に入力されたプロジェクタ２からの信号であって、プロジェクタ２の動作態様を示す信号に基づいて、プロジェクタ２が待機状態へ移行したか否かを判断する。
【０１４３】
プロジェクタ２が待機状態へ移行したとステップＳ２３において判断された場合には、外部装置５は、プロジェクタ２への電力供給を遮断する（ステップＳ２４）。即ち、ステップＳ２４においては、プロジェクタ２の動作態様が待機状態に移行した後に、外部装置５の制御部５３が、プロジェクタ２に出力される電力を制限するように出力電力制限部５７を制御する。より具体的には、制御部５３は、リレー５７ａを開状態として、プロジェクタ２に電力を出力しないようにスイッチ部である出力電力制限部５７を制御する。従って、プロジェクタ２が待機状態となったことを示す信号をプロジェクタ２から検知できない場合、即ち、プロジェクタ２が待機状態に移行したとステップＳ２３において判断されていない場合には、ステップＳ２４の動作は行われずにステップＳ２３の動作が繰り返される。
【０１４４】
以上のようにして、プロジェクタ２の作動状態を禁止する旨の信号が制御部５３に入力されると、ステップＳ２２以降の一連の動作が行われる。即ち、外部装置５の制御部５３は、制御信号としてプロジェクタ２の作動状態を禁止する旨の信号が制御部５３に入力されたときには、プロジェクタ２に出力される電力を制限するように出力電力制限部５７を制御する。
【０１４５】
上述のごとく動作するプロジェクタ２及び外部装置５を備えた電子機器システムにおける、プロジェクタ２の動作態様の変化を、図８に示すタイミングチャートを参照しながら説明する。
【０１４６】
図８に示すように、上記ステップＳ１２において外部装置５がプロジェクタ２への電力供給を開始すると、その直後に、プロジェクタ２は電力が供給されていない電源遮断状態から待機状態に移行する。そして、上記ステップＳ１４において制御信号出力部７０がプロジェクタ２を作動させる旨の信号をプロジェクタ２へ出力すると、その直後に、プロジェクタ２の動作態様が作動状態に移行する。
【０１４７】
また、図８に示すように、上記ステップＳ２２において制御信号出力部７０がプロジェクタ２の作動を停止させる旨の信号をプロジェクタ２へ出力すると、その直後に、映像信号処理部２２及び光学系２３への電力の供給が停止されて、プロジェクタ２の動作態様がクーリング状態に移行する。さらに、クーリング状態に移行してから所定時間後に、ファン駆動部２８への電力の供給が停止されて、プロジェクタ２の動作態様が待機状態に移行する。そして、上記ステップＳ２４において外部装置５がプロジェクタ２への電力供給を遮断すると、その直後に、プロジェクタ２は電力が供給されていない電源遮断状態に移行する。
【０１４８】
従って、本実施形態に係る電子機器システムにおいては、外部装置５が、プロジェクタ２に供給される電力を制限することによって、プロジェクタ２の動作態様が、待機状態に代えて、プロジェクタ２に供給される電力が制限された状態に切り替えられる。より具体的には、外部装置５が、プロジェクタ２に供給される電力を遮断することによって、プロジェクタ２の動作態様が、待機状態に代えて、プロジェクタ２に電力が供給されない電源遮断状態に切り替えられる。
【０１４９】
本実施形態によれば、以下の作用効果を得ることができる。
（１）外部装置５は、電力が入力される電源入力部５１と、電力をプロジェクタ２に出力する電源出力部５２と、出力される電力を制限する出力電力制限部５７と、出力電力制限部５７を制御する制御部５３と、プロジェクタ２の動作態様を制御するための制御信号を制御部５３に入力する制御信号入力部６０とを備えている。そして、制御部５３は、制御信号としてプロジェクタ２の作動状態を禁止する旨の信号が入力されたときに、プロジェクタ２に出力される電力を制限するように出力電力制限部５７を制御する。即ち、本発明に係る外部装置５を介して電源１とプロジェクタ２とが接続された場合には、外部装置５が上記構成を備えているため、プロジェクタ２の動作態様を作動状態から待機状態に切り替える旨の制御信号が制御部５３に入力された場合に、プロジェクタ２への電力供給が抑制される。従って、外部装置５を介さずに電源１とプロジェクタ２とが物理的に直接接続されて消費電力の小さい待機状態となっても一定の電力が電子機器に供給され続ける場合に比べて、プロジェクタ２への電力供給を抑制して、プロジェクタ２の省エネルギー化を図ることができる。また、作動状態を禁止する旨の信号が入力されたときに、プロジェクタ２に出力される電力が制限される。即ち、プロジェクタ２への電力供給の抑制が、作動状態を禁止する意図を示す制御信号の入力を待って行われる。従って、作動状態のプロジェクタ２への電力供給が唐突に抑制されないようにして、プロジェクタ２が作動状態となってから所定時間後に電力供給が抑制される場合に比べて、適切なタイミングでプロジェクタ２の省エネルギー化を図ることができる。さらに、プロジェクタ２への電力供給を抑制することを目的として、電源１と外部装置５とプロジェクタ２との物理的な接続を切断する必要がなくなる。即ち、電源１とプロジェクタ２とを接続するための電源ケーブル５１ａ，５２ａを抜き差しする手間を省くことができる。よって、上記構成によれば、プロジェクタ２への電力供給を抑制する際の利便性を向上させるとともに、適切なタイミングでプロジェクタ２の省エネルギー化を図ることができる。また、待機状態における消費電力を低減する機能を内蔵していないという理由だけで電子機器が廃棄されることを抑制することが期待でき、環境への負荷の軽減が期待できる。
【０１５０】
（２）作動状態を禁止する旨の信号は、プロジェクタ２の動作態様を作動状態から切り替える旨の信号である。このため、従来においてはプロジェクタ２に入力していた作動状態から切り替える旨の信号が、本発明に係る外部装置５が備える制御部５３に入力されることにより、プロジェクタ２への電力供給が抑制される。即ち、従来においてプロジェクタ２に入力されていた信号を用いて、本発明に係る外部装置５がプロジェクタ２への電力供給を制御できる。
【０１５１】
（３）作動状態を禁止する旨の信号は、プロジェクタ２の動作態様を作動状態から待機状態に切り替える旨の信号である。このため、作動状態から待機状態に切り替える旨の信号が、本発明に係る外部装置５が備える制御部５３に入力されることにより、プロジェクタ２への電力供給が抑制される。従って、プロジェクタ２の動作態様を、消費電力の小さい待機状態に代えて、プロジェクタ２に供給される電力が制限された状態に切り替えることが可能となる。
【０１５２】
（４）出力電力制限部５７は、電源出力部５２からプロジェクタ２に電力を出力するか否かを切り替えるスイッチ部である。このため、電源出力部５２からプロジェクタ２に電力を出力しないようにスイッチ部である出力電力制限部５７が制御されることによって、外部装置５からプロジェクタ２への電力供給が遮断される。従って、プロジェクタ２の省エネルギー化を確実に図ることができる。
【０１５３】
（５）制御部５３は、制御信号として作動状態を禁止する旨の信号が入力されたときに、プロジェクタ２に電力を出力しないようにスイッチ部である出力電力制限部５７を制御する。このため、プロジェクタ２の動作態様を作動状態から待機状態に切り替える旨の制御信号が制御部５３に入力された場合に、外部装置５からプロジェクタ２への電力供給が遮断されて、プロジェクタ２の省エネルギー化を確実に図ることができる。
【０１５４】
（６）外部装置５は、プロジェクタ２から出力された信号が入力される信号入力部としてＲＳ２３２Ｃ接続部７３を備え、制御部５３は、ＲＳ２３２Ｃ接続部７３に入力されたプロジェクタ２からの信号に基づいて、プロジェクタ２の動作態様を監視するとともに、その監視結果に基づいて出力電力制限部５７を制御する。このため、プロジェクタ２の動作態様が待機状態に切り替えられたか否か等を監視することが可能となる。従って、プロジェクタ２に出力される電力を制限する出力電力制限部５７を、適切なタイミングで確実に制御することができる。
【０１５５】
（７）外部装置５は、プロジェクタ２の動作態様を制御するための制御信号をプロジェクタ２に出力する制御信号出力部７０をさらに備えている。このため、プロジェクタ２は、外部装置５の制御信号出力部７０から出力された制御信号に基づいて、作動状態から待機状態に切り替わったり、待機状態から作動状態に切り替わったりすることが可能となる。
【０１５６】
（８）制御信号出力部７０であるＲＳ２３２Ｃ接続部７３は、制御信号として作動状態を禁止する旨の信号が制御部５３に入力されたときに、プロジェクタ２の動作態様を待機状態に切り替える旨の信号を制御信号としてプロジェクタ２に出力する。このため、外部装置５のＲＳ２３２Ｃ接続部７３から出力された制御信号に基づいて、プロジェクタ２の動作態様が作動状態から待機状態に切り替わる。そして、制御部５３は、プロジェクタ２の動作態様が待機状態に切り替えられた後に、プロジェクタ２に出力される電力を制限するように出力電力制限部５７を制御する。このため、作動状態から待機状態に移行する際にプロジェクタ２の一部を冷却するための所定期間が設けられる場合に、この所定期間が経過後に、プロジェクタ２への電力供給が抑制される。従って、作動状態から待機状態へ移行する際に設けられることが好ましい所定の期間（即ち、プロジェクタ２の光源２４の冷却期間）を確保することができる。
【０１５７】
（９）制御部５３は、制御信号としてプロジェクタ２の動作態様を作動状態に切り替える旨の信号が入力されたときに、プロジェクタ２に出力される電力の制限を禁止するように出力電力制限部５７を制御する。このため、プロジェクタ２への電力供給が抑制されないようになり、プロジェクタ２の動作態様を待機状態とすることができる。そして、制御信号出力部７０であるＲＳ２３２Ｃ接続部７３は、プロジェクタ２に出力される電力の制限が禁止されることによってプロジェクタ２の動作態様が待機状態に切り替えられた後に、プロジェクタ２の動作態様を作動状態に切り替える旨の信号を制御信号としてプロジェクタ２に出力する。このため、直ちに作動状態へ移行することができない場合（例えば、作動状態に移行するために待機状態を経る必要がある場合）に、プロジェクタ２の動作態様を待機状態から作動状態に適切に切り替えることができる。
【０１５８】
（１０）制御信号出力部７０であるＲＳ２３２Ｃ接続部７３は、プロジェクタ２から出力された信号が入力される信号入力部を兼ねる。このため、プロジェクタ２の動作態様を制御するための制御信号をプロジェクタ２に出力する構成と、プロジェクタ２の動作態様を確認するための信号が入力される構成を、共用化することができる。
【０１５９】
（１１）外部装置５は、制御信号出力部７０を複数備えている。具体的には、外部装置５は、プロジェクタ２の動作態様を制御するための制御信号をプロジェクタ２に出力する制御信号出力部７０として、リモコン信号送信部７１と被制御機器用接続部７２とＲＳ２３２Ｃ接続部７３とを備えている。このため、複数の手段のいずれかによりプロジェクタ２に制御信号を出力することが可能となる。
【０１６０】
（１２）外部装置５は、外部からの制御信号を受信するリモコン信号受信部６１を備えるとともに、リモコン信号受信部６１で受信した制御信号を、受信した形式とは異なる形式に変換するための信号変換テーブルが記憶された記憶部５４をさらに備えている。このため、記憶部５４に記憶された信号変換テーブルを用いて制御信号の形式を変換して、制御信号出力部７０から制御信号を出力することができる。具体的には、リモコン信号受信部６１で受信した制御信号を、リモコン信号送信部７１でなく、例えばＲＳ２３２Ｃ接続部７３から出力することができる。
【０１６１】
（１３）外部装置５は、制御信号入力部６０を複数備えている。具体的には、外部装置５は、プロジェクタ２の動作態様を制御するための制御部５３に入力する制御信号入力部６０として、操作部５９とリモコン信号受信部６１とリモコン機器用接続部６２とＲＳ２３２Ｃ接続部６３とを備えている。このため、複数の手段のいずれかにより制御部５３に制御信号を入力することが可能となる。
【０１６２】
（１４）外部装置５は、制御部５３による出力電力制限部５７の制御を設定するための操作部５９を備え、制御部５３は、操作部５９を用いて設定された設定内容に基づいて出力電力制限部５７を制御する。従って、操作部５９を用いて出力電力制限部５７の制御を適宜設定し直すことにより、制御部５３による制御を適宜変更することができる。
【０１６３】
（１５）電子機器システムは、作動状態と、この作動状態に比べて消費電力の小さい待機状態とが動作態様として切り替え可能なプロジェクタ２と、プロジェクタ２に電力を出力して供給するとともに、プロジェクタ２の動作態様を制御する外部装置５と、外部装置５からプロジェクタ２に出力される電力の供給元である電源１とを備えている。そして、外部装置５が、プロジェクタ２に供給される電力を制限することによって、プロジェクタ２の動作態様が、待機状態に代えて、プロジェクタ２に供給される電力が制限された状態に切り替えられる。このため、プロジェクタ２の動作態様を作動状態から待機状態に切り替える場合に、待機状態に代えて、プロジェクタ２に供給される電力が制限された状態に切り替えられるため、プロジェクタ２への電力供給が抑制される。従って、消費電力の小さい待機状態となっても一定の電力がプロジェクタ２に供給され続ける場合に比べて、プロジェクタ２への電力供給を抑制して、プロジェクタ２の省エネルギー化を図ることができる。また、プロジェクタ２の動作態様が、消費電力の小さい待機状態に代えて、プロジェクタ２に供給される電力が制限された状態に切り替えられる。即ち、プロジェクタ２が作動状態となっている時間は確保される。従って、作動状態のプロジェクタ２への電力供給が唐突に抑制されないようにして、プロジェクタ２が作動状態となってから所定時間後に電力供給が抑制される場合に比べて、適切なタイミングでプロジェクタ２の省エネルギー化を図ることができる。さらに、プロジェクタ２への電力供給を抑制することを目的として、電源１と外部装置５とプロジェクタ２との物理的な接続を切断する必要がなくなる。即ち、電源１とプロジェクタ２とを接続するための電源ケーブル５１ａ，５２ａを抜き差しする手間を省くことができる。よって、上記構成によれば、プロジェクタ２への電力供給を抑制する際の利便性を向上させるとともに、適切なタイミングでプロジェクタ２の省エネルギー化を図ることができる。
【０１６４】
（１６）外部装置５が、プロジェクタ２に供給される電力を遮断することによって、プロジェクタ２の動作態様が、待機状態に代えて、プロジェクタ２に電力が供給されない状態（即ち、電源遮断状態）に切り替えられる。このため、プロジェクタ２の省エネルギー化を確実に図ることができる。
【０１６５】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【０１６６】
・上記実施形態のステップＳ１３においては、プロジェクタ２からの信号であって、プロジェクタ２の動作態様を示す信号に基づいて、プロジェクタ２が電源遮断状態から待機状態へ移行したか否かが判断されていたが、所定時間経過したことに基づいて、プロジェクタ２が電源遮断状態から待機状態へ移行したか否かを判断してもよい。同様に、ステップＳ２３において、所定時間経過したことに基づいて、プロジェクタ２が作動状態から待機状態へ移行したか否かを判断してもよい。このように構成することにより、プロジェクタ２の動作態様を示す信号が入力されない場合であっても、外部装置５は図６及び図７に示す一連の動作を行う。
【０１６７】
・上記実施形態においては、外部機器９からのリモコン信号は、リモコン信号受信部６１で受信されて制御部５３に入力されるように構成されていたが、プロジェクタ２の動作態様を制御するための制御信号が制御部５３に入力される構成であれば、外部装置５と外部機器８，９との接続手段は適宜変更してもよい。例えば、図９に示すように、専用接続ケーブル６２ａにより、外部機器９が外部装置５に接続される構成であってもよい。この場合には、リモコン機器用接続部６２を介して、プロジェクタ２の動作態様を制御するための制御信号等が制御部５３に入力される。
【０１６８】
・上記実施形態においては、外部装置５のＲＳ２３２Ｃ接続部７３から、プロジェクタ２の動作態様を制御するための制御信号がプロジェクタ２に出力されるように構成されていたが、プロジェクタ２の動作態様を制御するための制御信号がプロジェクタ２に入力される構成であれば、外部装置５とプロジェクタ２との接続手段は適宜変更してもよい。例えば、図９に示すように、専用接続ケーブル７２ａにより、外部装置５がプロジェクタ２に接続される構成であってもよい。この場合には、被制御機器用接続部７２が、プロジェクタ２の動作態様を制御するための制御信号をプロジェクタ２に出力し、リモコン機器用接続部３３で、プロジェクタ２の動作態様を制御するための制御信号が受信される。
【０１６９】
・外部装置５に接続される電子機器はプロジェクタ２に限られない。即ち、テレビ受信装置やオーディオ機器等の他の電子機器に、本発明に係る外部装置５から電力を出力して供給する構成としてもよい。
【符号の説明】
【０１７０】
１…電源、２…プロジェクタ（電子機器）、５…外部装置、５ａ…ライブ線、５ｂ…ニュートラル線、５ｃ…アース線、８，９…外部機器、２１…映像信号入力部、２２…映像信号処理部、２３…光学系、２４…光源、２５…映像生成部、２６…投射部、２７…ファン、２８…ファン駆動部、３０…制御信号受信部、３１…ＬＡＮ接続部、３２…ＲＳ２３２Ｃ接続部、３３…リモコン機器用接続部、３４…リモコン信号受信部、４０…待機システム、４１…制御部、４２…記憶部、４３…操作部、４４…表示部、４５…時間計測部、４６…電源入力部、４７…電源部、５１…電源入力部、５１ａ…電源ケーブル、５１ｂ，５１ｃ…電源端子、５１ｄ…接地端子、５２…電源出力部、５２ａ…電源ケーブル、５２ｂ，５２ｃ…電源端子、５２ｄ…接地端子、５３…制御部、５４…記憶部、５５…表示部、５５ａ，５５ｂ，５５ｃ，５５ｄ…ＬＥＤ表示部、５５ｅ…ＬＣＤ表示部、５６…時間計測部、５７…出力電力制限部、５７ａ…リレー、５８…電源部、５９…操作部、５９ａ…メニューキー、５９ｂ…セットキー、５９ｃ…選択変更キー、５９ｄ…電源供給オンキー、５９ｅ…電源供給オフキー、６０…制御信号入力部、６１…リモコン信号受信部、６２…リモコン機器用接続部、６２ａ…専用接続ケーブル、６３…ＲＳ２３２Ｃ接続部、６３ａ…信号ケーブル、７０…制御信号出力部、７１…リモコン信号送信部、７２…被制御機器用接続部、７２ａ…専用接続ケーブル、７３…ＲＳ２３２Ｃ接続部、７３ａ…信号ケーブル。
【図１】
2011130643.tif 000003
【図２】
2011130643.tif 000004
【図３】
2011130643.tif 000005
【図４】
2011130643.tif 000006
【図５】
2011130643.tif 000007
【図６】
2011130643.tif 000008
【図７】
2011130643.tif 000009
【図８】
2011130643.tif 000010
【図９】
2011130643.tif 000011